(57)【要約】      （修正有）【解決手段】システム１００は、第１位置にある分析システム１０２および第１位置から離れた第２位置にある１つ以上のリモート・サンプリング・システム１０４と、第２位置から第１位置までガスにより液体サンプルを移送するように構成されたサンプル移送ライン１５０を含む。システムは、第１位置にあるサンプル受容ラインを更に含み得る。サンプル受容ラインは連続的な液体サンプル・セグメントを受容し、かつ分析デバイス１１２にサンプルを供給するためにサンプル移送ライン１５０および分析システム１０２と選択的に連結するように構成されている。【効果】リモート・サンプリング・システム１０４は分析システム１０２から様々な距離（例えば１ｍ、５ｍ、５０ｍ、１００ｍ、１０００ｍ等）離れて配置され得る【選択図】図１
2020112559.tif 000002
【特許請求の範囲】
【請求項１】
システムであって、
第１位置にある分析システム；
第１位置から離れた第２位置にあるリモート・サンプリング・システム；
ガス供給体と連結され、第２位置から第１位置まで液体サンプルを移送するように構成されたサンプル移送ライン
を有して成り、
分析システムがサンプル受容ラインを含み、
リモート・サンプリング・システムが分析のための液体サンプルを受容するように構成されており、
リモート・サンプリング・システムが第１位置に液体サンプルを送るためのサンプル移送ラインと流体連通するよう動作可能となるように、サンプル移送ラインはリモート・サンプリング・システムと連結されており、
サンプル受容ラインはサンプル移送ラインおよび分析システムと選択的に連結するように構成され、それによってサンプル受容ラインが、液体サンプルを受容するためにサンプル移送ラインと流体連通し、および液体サンプルの連続的な液体サンプル・セグメントを分析システムに供給するために分析システムと流体連通するよう動作可能となっている、システム。
【請求項２】
分析システムは、液体サンプルがサンプル受容ラインに進入したことを測定するように構成された第１検出器、およびサンプル受容ラインが連続的な液体サンプル・セグメントを含むことを測定するように構成された第２検出器を含む、請求項１に記載のシステム。
【請求項３】
連続的な液体サンプル・セグメントが分析デバイスによる分析のための十分な量の連続的な液体サンプル・セグメントを含む、請求項１に記載のシステム。
【請求項４】
サンプル受容ラインがサンプル・ループを有して成る、請求項１に記載のシステム。
【請求項５】
第１位置から離れた第３位置に第２サンプリング・デバイスを更に有して成り、
サンプル移送ラインが第２サンプリング・デバイスと連結するように構成され、それによって第２サンプリング・デバイスがサンプル移送ラインに第２液体サンプルを供給するためにサンプル移送ラインと流体連通するよう動作可能となっている、請求項１に記載のシステム。
【請求項６】
第１位置および第２位置から離れた第３位置にある第２サンプリング・システム、並びに
第２ガス供給体と連結され、かつ第３位置から第１位置まで第２液体サンプルを移送するように構成された第２サンプル移送ライン
を更に有して成り、
第２サンプリング・システムが第２液体サンプルを第２サンプル移送ラインに送るために第２サンプル移送ラインと流体連通するよう動作可能となるように、第２サンプル移送ラインは第２サンプリング・システムと連結されており、および、
サンプル受容ラインが第２液体サンプルを受容し、かつ分析システムに第２液体サンプルを供給するために第２サンプル移送ラインと流体連通するよう動作可能となるように、サンプル受容ラインは第２サンプル移送ラインと連結されている、請求項１に記載のシステム。
【請求項７】
第１位置に第２サンプリング・デバイスを更に有して成り、
第２サンプリング・デバイスが分析システムに第２サンプルを供給するために分析システムと連結されている、請求項１に記載のシステム。
【請求項８】
第２サンプリング・システムがオートサンプラーを有して成る、請求項７に記載のシステム。
【請求項９】
システムが、キャッチに対するピッチの比が１．２５となる比で動作する、請求項１に記載のシステム。
【請求項１０】
分析システムがコントローラーを含む、請求項１に記載のシステム。
【請求項１１】
リモート・サンプリング・システムであって、
分析システムから離れた位置にあるリモート・サンプリング・デバイスを有して成り、
リモート・サンプリング・システムが、リモート・サンプリング・システムから分析システムまで液体サンプルを移送するように構成されているサンプル移送ラインに連結されており、
リモート・サンプリング・システムがサンプル移送ラインに連続的な液体サンプル・セグメントを供給するためにサンプル移送ラインと流体連通するよう動作可能となるように、サンプル移送ラインはリモート・サンプリング・システムと連結されている、リモート・サンプリング・システム。
【請求項１２】
サンプル作製デバイスを更に含む、請求項１１に記載のリモート・サンプリング・システム。
【請求項１３】
サンプル作製デバイスがバルブを含む、請求項１２に記載のリモート・サンプリング・システム。
【請求項１４】
リモート分析システムであって、
第１位置にある分析システム；
第１位置にあるサンプル受容ライン
を有して成り、
分析システムが、サンプル・コレクターおよび分析デバイスを含み、
分析システムが、サンプル移送ラインに接続されており、
分析システムが、リモート・サンプリング・デバイスおよびサンプル作製デバイスを含むリモート・サンプリング・システムから連続的な液体サンプル・セグメントを受容するように構成されており、
リモート・サンプリング・システムが、第１位置から離れた第２位置に配置されており、
リモート・サンプリング・システムが、サンプル移送ラインに連結されており、
サンプル移送ラインが、ガス供給体と連結され、かつ第２位置から第１位置まで液体サンプルを送るように構成されており、
リモート・サンプリング・システムがサンプル移送ラインに連続的な液体サンプル・セグメントを供給するためにサンプル移送ラインと流体連通するよう動作可能となるように、サンプル移送ラインはリモート・サンプリング・システムと連結されており、
サンプル受容ラインが液体サンプルを受容するためにサンプル移送ラインと流体連通し、かつ分析システムに液体サンプルの連続的な液体サンプルを供給するために分析システムと流体連通するよう動作可能となるように、サンプル受容ラインがサンプル移送ラインおよび分析システムと連結されている、リモート分析システム。
【請求項１５】
分析システムが、液体サンプルがサンプル受容ラインに進入したことを測定するように構成された第１検出器、および、サンプル受容ラインが連続的な液体サンプル・セグメントを含むことを測定するように構成された第２検出器を含む、請求項１４に記載のリモート分析システム。
【請求項１６】
連続的な液体サンプル・セグメントが分析デバイスによる分析のための十分な量の連続的な液体サンプル・セグメントを含む、請求項１５に記載のリモート分析システム。
【請求項１７】
サンプル受容ラインがサンプル・ループを有して成る、請求項１４に記載のリモート分析システム。
【請求項１８】
第１位置に第２サンプリング・デバイスを更に有して成り、
第２サンプリング・デバイスが分析システムに第２サンプルを供給するために分析システムと連結されている、請求項１４に記載のリモート分析システム。
【請求項１９】
第２サンプリング・システムがオートサンプラーを有して成る、請求項１８に記載のリモート分析システム。
【請求項２０】
システムは、キャッチに対するピッチの比が１．２５となる比で動作する、請求項１４に記載のリモート分析システム。
【発明の詳細な説明】
【技術分野】
【０００１】
関連出願の相互参照
本願は、米国特許法第１１９条（ｅ）に基づき、２０１４年２月２７日に出願され、“長い距離にわたり動作可能であるサンプル分析システム”と題された米国仮出願第６１/９４５,２６４号、および２０１４年２月２８日に出願され、“長い距離にわたり動作可能であるサンプル分析システム”と題された米国仮出願第６１/９４６,２５６号の優先権主張をするものである。米国仮出願第６１/９４５,２６４号および米国仮出願第６１/９４６,２５６号の内容は参照することにより本明細書に全て組み入れられる。
【背景技術】
【０００２】
誘導結合プラズマ（ＩＣＰ）分光法は、液体サンプル中の微量元素濃度および同位体比の測定のために一般に使用されている分析技術である。ＩＣＰ分光法は、約７０００Ｋの温度に達する電磁的に発生され部分的にイオン化されたアルゴンプラズマを用いる。サンプルがプラズマに導かれると、高温によりサンプル原子がイオン化されまたは発光する。各化学元素が特有の物質又は発光スペクトルを生成するため、発光物質のスペクトルを測定することで原サンプルの元素組成の測定をすることができる。
【０００３】
サンプル導入システムは、ＩＣＰ分光器（例えば、誘導結合プラズマ質量分析計（ＩＣＰ/ＩＣＰ−ＭＳ）、誘導結合プラズマ発光分析計（ＩＣＰ−ＡＥＳ）等）内に液体サンプルを導入するために用いられ得る。例えば、サンプル導入システムは、容器から液体サンプルの一定分量（又はアリコート;aliquot）を取り出し、液体サンプルの一定分量をＩＣＰ分光器によりプラズマイオン化に適した多分散エアロゾルに置換するネブライザーに液体サンプルの一定分量を移送（又は輸送;transport）し得る。次いで、エアロゾルは大きなエアロゾル粒子を除去するためにスプレーチャンバー内で分けられる。スプレーチャンバーを出る際、エアロゾルは分析のためのＩＣＰ−ＭＳ又はＩＣＰ−ＡＥＳのプラズマ光アッセンブリによってプラズマ内に導かれる。
【発明の概要】
【０００４】
システムは、第１位置にある分析システムおよび第１位置から離れた（remote from）第２位置にある１つ以上のリモート・サンプリング・システム（remote sampling system）を含む。サンプリング・システムは、サンプル移送ライン（sample transfer line）を通じて連続的な液体サンプル・セグメント（continuous liquid sample segment）を受容しかつ移送するように構成され得る。また、システムは、第２位置から第１位置まで分析のための十分な量の液体サンプルを移送するための加圧ガス供給体を含む。サンプル移送ラインは、第１位置へ液体サンプルを送り、移送するためにリモート・サンプリング・システムと連結するように構成されている。システムは、第１位置にてサンプル受容ライン（sample receiving line）を更に含み得る。
【０００５】
この概要は、下記の詳細な説明にてより説明される選択概念を簡略化した形式で導くために供される。この概要は、請求する主題の主要な特徴又は本質的な特徴と同一視することを意図しておらず、請求する主題の範囲を決定することを手助けするために使用されることを意図していない。
【図面の簡単な説明】
【０００６】
添付図面を参照しながら詳細な説明を行う。添付図面に含まれる任意の寸法は、例示にすぎず本開示を限定することを意味していない。
【０００７】
【図１】図１は、本開示の例示態様に従った長い距離にわたり移送されたサンプルを分析するように構成されたシステムを示す部分直線図である。
【図２Ａ】図２Ａは、本開示の例示態様に従ったリモート・サンプリング・システムに使用されるリモート・サンプリング・デバイスを示す周囲図である。
【図２Ｂ】図２Ｂは、本開示の例示態様に従ったリモート・サンプリング・システムに使用されるリモート・サンプリング・デバイスを示す周囲図である。
【図３Ａ】図３Ａは、本開示の例示態様に従った分析システムに使用される分析デバイスを示す周囲図である。
【図３Ｂ】図３Ｂは、本開示の例示態様に従った分析システムに使用される分析デバイスを示す周囲図である。
【図４】図４は、本開示の例示態様に従った長い距離にわたり移送されたサンプルを分析するように構成されたシステム内の分析システムを示す部分直線図である。
【図５】図５は、本開示の例示態様に従った図４に示される分析システム内にて用いられ得る検出器を示す部分直線図である。
【発明を実施するための形態】
【０００８】
概して図１〜５を参照しながら、長い距離にわたり移送されたサンプルを分析するように構成された例示のシステムを説明する。システム１００は、第１位置にて分析システム１０２を含む。また、システム１００は、第１位置から離れた第２位置にて１つ以上のリモート・サンプリング・システム１０４を含み得る。また、システム１００は、第３位置、第４位置等にて１つ以上のリモート・サンプリング・システム１０４を含み得る。第３位置および/又は第４位置は第１位置とは遠く離れている。ある態様では、また、システム１００は、第１位置にて（例えば分析システム１０２に近接して）１つ以上のリモート・サンプリング・システム１０４を含み得る。例えば、第１位置にあるサンプリング・システム１０４は、分析システム１０２と連結されたオートサンプラー（autosampler）を含み得る。１つ以上のサンプリング・システム１０４は、第１位置、第２位置、第３位置、第４位置等からサンプルを受容するよう動作可能であり得る。システム１００は、分析のための分析システム１０２にサンプルをよう動作可能であり得る。
【０００９】
リモート・サンプリング・システム１０４は、サンプル１５０を受容し、運搬（又は排出又は送出;delivery）および/又は分析のためのサンプル１５０を作製するように構成され得る。一態様では、リモート・サンプリング・システム１０４は分析システム１０２から様々な距離（例えば１ｍ、５ｍ、５０ｍ、１００ｍ、１０００ｍ等）離れて配置され得る。一態様では、リモート・サンプリング・システム１０４は、リモート・サンプリング・デバイス１０６およびサンプル作製デバイス１０８を含み得る。サンプル作製デバイス１０８は、フロースルーバルブ等のバルブ１４８を更に含み得る。一態様では、リモート・サンプリング・デバイス１０６は、サンプルストリーム（例えば、廃水、濯ぎ水等の液体）からサンプル１５０を収集（又は回収;collect）するために構成されたデバイスを含み得る。リモート・サンプリング・デバイス１０６は、ポンプ、バルブ、チューブ、センサー等のコンポーネントを含み得る。サンプル作製デバイス１０８は、希釈剤１１４、内部標準１１６、キャリア１５４等を使用してリモート・サンプリング・デバイス１０６からの収集サンプル１５０を作製するように構成されたデバイスを含み得る。
【００１０】
ある態様では、サンプル１５０は、必ずしも限定されるものではないが希釈、予備濃縮、１つ以上の較正用標準の追加等を含む１つ以上の作製技術を用いて運搬および/又は分析用に作製され得る（例えば作製サンプル１５２）。例えば、粘性サンプル１５０が、分析システム１０２に運搬される前に、運搬の間における粘性サンプル１５０の分離を抑制するために（例えばサンプル作製デバイス１０８により）速やかに希釈され得る。ある態様では、サンプル希釈剤は、所望の速度でシステムを通じてサンプル１５０を移動するために動的調整され得る（例えば自動調整される）。例えば、サンプル１５０が（第２位置から第１位置までの移送時間により測定される際において）相当程度ゆっくりとシステム１００を通って移動する場合、ある特定のサンプル又はある種のサンプルに追加される希釈剤１１４が増加される。別の例では、１リットル（１Ｌ）の海水が分析システム１０２に運搬される前に速やかに予備濃縮され得る。更なる例では、静電濃縮が、発生し得る浮遊汚染物（airborne contaminants）を予備濃縮するためにエアーサンプルから原料に用いられる。ある態様では、一列上に希釈および/又は較正がシステム１００により自動的に行われる。例えば、サンプル作製デバイス１０８は、分析システム１０２を較正するために分析システム１０２に運搬されたサンプルに１つ以上の内部標準を追加し得る。
【００１１】
本開示の態様では、分析システム１０２は、サンプル移送ライン１４４からのサンプル１５０を収集するように構成されたサンプル・コレクター１１０および/若しくはサンプル検出器１３０、並びに/又は（例えば液体サンプル中の）微量元素濃度、同位体比等を測定するためのサンプルを分析するように構成された少なくとも１つの分析デバイス１１２を含み得る。更に、分析システム１０２は、分析システム１０２の局所にあるサンプル１５０を収集するように構成されたサンプリング・デバイス１６０を含み得る。分析デバイス１１２の一例としてＩＣＰ分光器が挙げられ得る。システム１００および/又は分析システム１０２は時間とともにある位置での検体濃度を報告するように構成され得る。ある態様では、分析デバイス１１２はサンプル１５０中の１つ以上の微量金属を検出するように構成され得る。他の態様では、分析デバイス１１２はイオンクロマトグラフィのために構成され得る。例えば、イオンおよび/又はカチオンがサンプル１５０に収集され、クロマトグラフ分析デバイス１１２に運搬され得る。更なる態様では、有機分子、タンパク質等がサンプルに収集され、（例えばネブライザー１５６を用いて）高分解能飛行時間型（ＨＲ−ＴｏＦ）質量分析デバイス１１２に運搬され得る。従って、本明細書に記載されるデバイスは、必ずしも限定されるものではないが、（例えば、マルチプル製剤リアクターに接続された中央の質量分析デバイスを用いた）製剤用途、１つ以上の廃棄ストリームの廃棄物監視等を含む様々な用途に使用され得る。例えば、廃棄ストリームは汚染物のために連続的に監視され、汚染物が検出される際にタンクにそらされ（diverted）得る。
【００１２】
リモート・サンプリング・システム１０４がサンプル移送ライン１４４に連続的な液体サンプル・セグメント１５０を供給するためにサンプル移送ライン１４４と流体連通するよう動作可能となるように、リモート・サンプリング・システム１０４は少なくとも１つのサンプル移送ライン１４４と選択的に連結するよう構成され得る。例えば、リモート・サンプリング・システム１０４は、サンプル１５０を収集し、例えばサンプル移送ライン１４４にリモート・サンプリング・システム１０４を連結するフロースルーバルブ１４８を使用してサンプル移送ライン１４４にサンプル１５０を供給するように構成され得る。サンプル移送ライン１４４へのサンプル１５０の供給は“ピッチ（又は供給又は送出;pitch）”と呼び得る。サンプル移送ライン１４４は、ガス供給体１４６と連結され、第２位置（場合によって第３位置、第４位置等）から第１位置にガスを移送するように構成され得る。これにより、リモート・サンプリング・システム１０４により供給される液体サンプル・セグメントは、ガスストリームに収集され、ガス圧サンプル移送部を使用して分析システム１０２の位置まで移送される。
【００１３】
ある態様では、サンプル移送ライン１４４中のガスは、必ずしも限定されるものではないが、窒素ガス、アルゴンガス等を含む不活性ガスを含み得る。ある態様では、サンプル移送ライン１４４は、０．８ミリメートル（ｍｍ）の内径を有する分割されていない（又は非セグメント化された;unsegmented）又は必要最小限分割された（又はセグメント化された;segmented）チューブを含み得る。しかしながら、０．８ミリメートルの内径は一例にすぎず、本開示を限定することを意図していない。他の態様では、サンプル移送ライン１４４は０．８ミリメートルより大きい内径および/又は０．８ミリメートル未満の内径を含み得る。ある態様では、サンプル移送ライン１４４中の圧力は少なくとも約４バール〜約１０バールの範囲であり得る。しかしながら、この範囲は一例にすぎず、本開示を限定することを意図していない。他の態様では、サンプル移送ライン１４４中の圧力は１０バールより大きくおよび/又は４バール未満であり得る。更に、ある特定の態様では、サンプル移送ライン１４４中の圧力は、サンプル１５０が概して上方向（例えば垂直方向）に供される（又は分配される又は分注される;dispensed）ように調節され得る。
【００１４】
ある態様では、サンプル移送ライン１４４は、第１液浴（又は薬浴（chemical bath））と流体連通するリモート・サンプリング・システム１０４および第２液浴と分析システム１０２と連結され得る。本開示の態様では、システム１００は、第１位置および/又は１つ以上の離れた位置でのオバーフローを抑制する又は最小限にするための（例えばトラフ（;trough）に設けられた）１つ以上の漏れセンサーを含み得る。シリンジポンプ又は真空ポンプ等のポンプは、サンプリング・システム内にサンプルを設けるために使用され得る。バルブ１４８はリモート・サンプリング・システム１０４にあるサンプル１５０を選択するために使用され、サンプル１５０は、第１位置にある分析システム１０２にサンプル１５０を運搬し得るサンプル移送ライン１４４に供給され得る。ダイアフラム・ポンプ等の別のポンプが分析システム１０２にある排水（又はドレイン;drain）を送り出し（pump）、サンプル移送ライン１４４からサンプル１５０を引き抜くために使用され得る。
【００１５】
システム１００は、サンプル移送ライン１４４中のガスおよびサンプルが周囲環境にさらされない密閉（enclosed）サンプリング・システムとして実行され得る。ある態様では、リモート・サンプリング・システム１０４の１つ以上のサンプルラインはサンプル運搬の間に清掃され得る。更に、サンプル移送ライン１４４はサンプル１５０運搬の間に（清掃溶液を使用して）清掃され得る。
【００１６】
サンプル・ループ１６４が連続的な液体サンプル・セグメントを受容するためにサンプル移送ライン１４４と流体連通するよう動作可能となるように、サンプル移送ライン１４４は第１位置にてサンプル受容ライン１６２（例えばサンプルループ１６４）と選択的に連結するように構成され得る。サンプル・ループ１６４に対する連続的な液体サンプル・セグメントの運搬は、“キャッチ（又は捕捉;catch）”と呼び得る。また、サンプル・ループ１６４が分析デバイス１１２に連続的な液体サンプル・セグメントを供給するために分析デバイス１１２と流体連通するよう操作可能となるように、サンプル・ループ１６４は分析デバイス１１２と選択的に連結するように構成されている。本開示の態様では、分析システム１０２は、連続的な液体サンプル・セグメントがサンプル・ループ１６４に進入したことを測定するように構成された第１検出器１２６、およびサンプル・ループ１６４が分析システム１０２による分析のための十分な量の連続的な液体サンプル・セグメントを含むことを測定するように構成された第２検出器１２８を含み得る。一例では、十分な量の連続的な液体サンプルは分析デバイス１１２に送るための十分な液体サンプルを含み得る。別の例では、十分な量の連続的な液体サンプルは第１検出器１２６と第２検出器１２８との間に連続的な液体サンプルを含み得る。実施態様では、第１検出器１２６および/又は第２検出器１２８は、光分析器（light analyzer）１３２、光学センサー１３４、伝導センサー１３６、金属センサー１３８、伝導性センサー１４０、および/又は圧力センサー１４２を含み得る。第１検出器１２６および/又は第２検出器１２８は他のセンサーを含むことが考慮されてよい。例えば、第１検出器１２６は、サンプル１５０がサンプル・ループ１６４に進入する際に検出する光分析器１３２を含み得、第２検出器１２８は、サンプル１６４が満たされる際に検出する別の光分析器１３２を含み得る。この例を“良好なキャッチ（successful catch）”と呼び得る。光分析器１３２は一例にすぎず本開示を限定するものではないことに留意する必要がある。他の例の検出器は、必ずしも限定されるものではないが、光学センサー、伝導センサー、金属センサー、伝導性センサー、圧力センサー等を含む。
【００１７】
本開示の態様では、リモート・サンプリング・システム１０４により収集されるサンプル量は分析デバイス１１２による分析のための十分な量のサンプル１５０を供するために調整される。例えば、“キャッチされる（又は受け取られる;caught）”サンプル１５０の量に対する“送られる（又は送出される;pitched）”サンプル１５０の量の比は少なくとも約１．２５である。しかしながら、この比は一例にすぎず本開示を限定するものではない。ある態様では、当該比は１．２５よりも大きく、他の態様では当該比は１．２５未満である。一例では、２．５ｍＬのサンプル１５０（例えば濃硫酸又は硝酸）が送られ、１ｍＬのサンプル１５０が受け取られる。本開示の態様では、“送られる”サンプル１５０の量は第１位置と第２位置との間の距離、第１位置と第２位置との間に取り付けるサンプル移送ラインの量、およびサンプル移送ライン１４４内の圧力等を占めるように調節される。
【００１８】
いくつかの又は全てのコンポーネントを含むシステム１００はコンピューター制御に基づき動作し得る。例えば、プロセッサ１２０は、ソフトウェア、ファームウェア、ハードウェア（例えば固定論理回路）、マニュアル処理又はこれらの組合せを用いて本明細書に記載したシステムのコンポーネントおよび機能を制御するためにシステム１００と一体となって又はシステム１００中に含まれ得る。本明細書で使用される用語“コントローラー”、“機能性”、“サービス”、および“論理回路”は、ソフトウェア、ファームウェア、ハードウェア、又はシステムの制御と関連するソフトウェア、ファームウェア、又はハードウェアの組合せを概して示す。ソフトウェアを用いる場合では、プロセッサ（例えば中央処理ユニット（ＣＰＵ）又は複数の中央処理ユニット）上にて実行される際、モジュール、機能性又は論理回路は特定のタスクを実施するプログラム・コードを示す。プログラム・コードは、１つ以上のコンピューターが読取可能な記憶デバイス（例えば内部メモリおよび/又は１つ以上の有形（又は目に見える;tangible）媒体）等に保存され得る。本明細書に記載される構造、機能、方法（又はアプローチ;approach）および技術は様々なプロセッサを有する様々な市販の計算プラットフォーム上にて実行され得る。
【００１９】
例えば、分析システム１０２、リモート・サンプリング・システム１０４、バルブ１４８、ポンプおよび/又は検出器１３０等のシステムの１つ以上のコンポーネントは、サンプル１５０の収集、運搬、および/又は分析を制御するためのコントローラーと連結され得る。例えば、良好な“キャッチ”が第１検出器１２６および第２検出器１２８により示される際に（例えば両センサーが液体を検出する際に）、コントローラー１１８は、サンプル・ループ１６４と連結するバルブ１４８を分析システム１０２に切り替えし、サンプル・ループ１６４から分析システム１０２にサンプル１５０を方向づけるように構成され得る。更に、（例えば、サンプル・ループ１６４が分析システム１０２による完全な分析のための十分なサンプル１５０で満たされていない際、）コントローラー１１８は、“良好ではないキャッチ”を測定するための機能性を実行し得る。ある態様では、“良好ではないキャッチ”は、例えば第１検出器１２６又は第２検出器１２８等のセンサーから受信される信号の信号強度の変化に基づき測定される。他の態様では、第１検出器１２６がサンプル受容ライン１６２中のサンプル１５０を表示し、第２検出器１２８がサンプル受容ライン１６２中のサンプル１５０を表示していない所定量の時間が経過した際に“良好ではないキャッチ”が測定される。
【００２０】
ある態様では、コントローラー１１８は、第２位置等の離れた位置で表示器と通信可能に連結され、十分ではないサンプル１５０が第１位置で受容される際に第２位置で表示（例えば警報（又はアラート;alert））を供する。表示は追加のサンプル収集および運搬を（例えば自動的に）開始するために使用され得る。ある態様では、表示器は（例えば１つ以上の表示器の光を通じて）操作者に警報を供する。更に、表示は、（例えば多数のサンプルが逸した際にのみ）表示は１つ以上の所定条件に基づき時間調整されおよび/又は開始され得る。また、ある態様では、表示器は離れたサンプリング部位にて測定される条件に基づき起動され得る。例えば、第２位置にある検出器１３０はサンプル１５０がリモート・サンプリング・システム１０４にいつ供されているかを測定するために使用され、表示器はサンプル１５０が収集されていない際に起動され得る。
【００２１】
ある態様では、コントローラー１１８は、異なる離れた位置からのサンプルの収集のためおよび/又は異なる種類のサンプル１５０のため異なる時間を供するよう動作可能となっている。例えば、リモート・サンプリング・システム１０４がサンプル移送ライン１４４にサンプル１５０を運搬し始める際にコントローラー１１８は警報が発され、サンプル移送ライン１４４内へのサンプル１５０の移送を開始し得る。また、コントローラー１１８は、サンプル１５０と関連した特定の情報を受信し（および可能な限り記録し）、サンプル１５０をシステム１００内に運搬するという命令を制御するために１つ以上のリモート・サンプリング・システム１０２と通信可能に連結され得る。例えば、コントローラー１１８は、多数のサンプル１５０を離して列に並べて、１つ以上のサンプル移送ライン１４４を通じた運搬を調整し得る。これにより、サンプル１５０の運搬は（例えば多数のサンプル移送ライン１４４を通じて）多数の同時のフローパスに沿うよう調整され得、１つ以上のサンプル１５０が移送される一方で１つ以上の追加のサンプル１５０が取り込まれ得る。
【００２２】
コントローラー１１８は、プロセッサ１２０、メモリ１２２、および通信インターフェース１２４を含み得る。プロセッサ１２０は、コントローラー１１８のための処理機能を供し、任意の数のプロセッサ、マイクロコントローラー、又は他の処理システム、およびコントローラー１１８により接続される又は発生させるデータおよび他の情報を保存するための常駐又は外部メモリを含み得る。プロセッサ１２０は、本明細書に記載された技術を実施する１つ以上のソフトウェアプログラムを実行し得る。プロセッサ１２０は、形成される材料、又は用いられる処理機構により制限されず、（例えば電子集積回路（ＩＣ）を用いて）半導体および/又はトランジスタを通じて実施され得る。
【００２３】
メモリ１２２は、必ずしも限定されないが、ランダム・アクセス・メモリ（ＲＡＭ）読み出し専用メモリ（ＲＯＭ）、フラッシュメモリ（例えばセキュアデジタル（ＳＤ）メモリカード、ミニＳＤメモリカード、および/又はマイクロＳＤメモリカード）、磁気メモリ、光学メモリ、ユニバーサル・シリアル・バス（ＵＳＢ）メモリデバイス、ハードディスクメモリ、外部メモリ等のリムーバブルおよび非リムーバブル記憶コンポーネントを含み得る。実施態様では、システム１００および/又はメモリ１２２は、加入者識別モジュール（ＳＩＭ）カード、汎用加入者識別モジュール（ＵＳＩＭ）カード、汎用集積回路カード（ＵＩＣＣ）等により供されるメモリ１２２等のリムーバブル集積回路カード（ＩＣＣ）メモリを含み得る。
【００２４】
通信インターフェース１２４はシステムのコンポーネントと通信するよう動作可能に構成されている。例えば、通信インターフェース１２４はシステム１００中の記憶装置のためのデータを送信し、システム１００中の記憶装置からのデータを読み出す等のために構成され得る。また、通信インターフェース１２４は、システム１００のコンポーネントとプロセッサ１２０との間のデータ移送を容易にするために（例えばコントローラー１１８と通信接続されるデバイスから受信されるプロセッサ１２０に対するインプットを通信するため）プロセッサ１２０と通信接続される。通信インターフェース１２４はコントローラー１１８のコンポーネントとして記載されるが、通信インターフェース１２４の１つ以上のコンポーネントが、有線および/又は無線接続を通じてシステム１００に通信接続される外部コンポーネントとして実行され得ることに留意を要する。また、システム１００は、必ずしも限定されるものではないが、ディスプレイ、マウス、タッチパッド、キーボード等を含む、（例えば通信インターフェース１２４を通じた）１つ以上のインプット/アウトプット（Ｉ/Ｏ）デバイスを有して成り得る、および/又はこれらに接続し得る。
【００２５】
通信インターフェース１２４および/又はプロセッサ１２０は、必ずしも限定されるものではないが、３Ｇ携帯ネットワーク、４Ｇ携帯ネットワーク又はモバイル通信用グローバルシステム（ＧＳＭ）ネットワーク等の広域携帯電話ネットワーク；Ｗｉ−Ｆｉネットワーク等（例えば、ＩＥＥＥ８０２．１１ネットワーク基準を使用して動作させる無線ローカルエリアネットワーク（ＷＬＡＮ））等の無線コンピューター通信ネットワーク；インターネット；広域ネットワーク（ＷＡＮ）、ローカルエリアネットワーク（ＬＡＮ）；（例えば、ＩＥＥＥ８０２．１５ネットワーク基準を使用して動作させる無線パーソナルエリアネットワーク（ＷＰＡＮ））等のパーソナルエリアネットワーク（ＰＡＮ）；公衆電話ネットワーク；エクストラネット；イントラネット等を含む様々な異なるネットワークと通信するように構成され得る。しかしながら、この例は一例にすぎず、本開示を限定するものではない。更に、通信インターフェース１２４は異なるアクセスポイントを横切って単一ネットワーク又は多数のネットワークと通信するように構成され得る。
【００２６】
実施態様では、様々な分析デバイスが本明細書に記載した構造、技術、方法等を利用し得る。従って、システムが本明細書に記載されているが、様々な分析装置が記載された技術、方法、構造等を利用し得る。これらデバイスは限定された機能（例えば薄いデバイス）で又は強固な機能（例えば厚いデバイス）で構成され得る。従って、デバイスの機能はデバイスのソフトウェア又はハードウェア源、例えば処理出力、メモリ（例えばデータ保存能力）、分析能力等に関係し得る。
【００２７】
概して、本明細書に記載した全ての機能はハードウェア（例えば集積回路等の固定論理回路）、ソフトウェア、フィルムウェア、マニュアル処理又はこれらの組合せを用いて実行され得る。従って、上記の開示にて説明したブロックは、ハードウェア（例えば集積回路等の固定論理回路）、ソフトウェア、ファームウェア、又はこれらの組合せを概して示す。ハードウェアの形態の例では、上記の開示にて説明した様々なブロックは他の機能と共に集積回路として実行され得る。そのような集積回路は既定のブロック、システム若しくは回路の機能の全て、又はブロック、システム若しくは回路の機能の一部を含み得る。更に、ブロック、システム、又は回路の要素は多数の集積回路を横断して実行され得る。そのような集積回路は、必ずしも限定されるものではないが、モノシリック集積回路、フリップチップ集積回路、マルチチップモジュール集積回路、および/又は混合信号集積回路を含む様々な集積回路を有して成り得る。ソフトウェアを用いる例では、上記の開示にて説明した様々なブロックは、プロセッサにて実行される際にて特定のタスクを実施する実行可能な命令（例えばプログラムコード）を示す。これらの実行可能な命令は１つ以上の有形のコンピューター読取媒体に保存され得る。ある例では、全てのシステム、ブロック、又は回路はそのソフトウェア又はファームウェア同等物を用いて実行され得る。他の例では、既定のシステム、ブロック、又は回路の一パーツがソフトウェア又はファームウェアで実行され得る一方、他のパーツはハードウェアで実行される。
【００２８】
主題は構造の特徴および/又は処理動作に特有の言語で説明されているが、特許請求の範囲に規定された主題は上記で説明した特定の特徴又は動作に必ずしも限定されるものではないことは理解されよう。むしろ、上記で説明した特定の特徴および動作はクレームの規定内容を実施するための例示形態として開示されている。
【図１】
2020112559.tif 000003
【図２Ａ】
2020112559.tif 000004
【図２Ｂ】
2020112559.tif 000005
【図３Ａ】
2020112559.tif 000006
【図３Ｂ】
2020112559.tif 000007
【図４】
2020112559.tif 000008
【図５】
2020112559.tif 000009
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
システムであって、
第１位置にある分析システム；
第１位置から離れた第２位置にあるリモート・サンプリング・システム；
流体供給体と連結され、第２位置から第１位置まで液体サンプルを移送するように構成されたサンプル移送ライン
を有して成り、
分析システムがサンプル受容ラインを含み、
リモート・サンプリング・システムが分析のための液体サンプルを受容するように構成されており、
リモート・サンプリング・システムは、分析に先立って液体サンプルを希釈するように構成されたサンプル作製デバイスを有して成り、
リモート・サンプリング・システムが第１位置に液体サンプルを送るためのサンプル移送ラインと流体連通するよう動作可能となるように、サンプル移送ラインはリモート・サンプリング・システムと連結されており、
サンプル受容ラインはサンプル移送ラインおよび分析システムと選択的に連結するように構成され、それによってサンプル受容ラインが、液体サンプルを受容するためにサンプル移送ラインと流体連通し、および液体サンプルの連続的な液体サンプル・セグメントを分析システムに供給するために分析システムと流体連通するよう動作可能となっている、システム。
【請求項２】
分析システムは、液体サンプルがサンプル受容ラインに進入したことを測定するように構成された第１検出器、およびサンプル受容ラインが連続的な液体サンプル・セグメントを含むことを測定するように構成された第２検出器を含む、請求項１に記載のシステム。
【請求項３】
連続的な液体サンプル・セグメントが分析デバイスによる分析のための十分な量の連続的な液体サンプル・セグメントを含む、請求項１に記載のシステム。
【請求項４】
サンプル受容ラインがサンプル・ループを有して成り、サンプル・ループはループ形状のラインであり、サンプル・ループの両端はサンプル受容ライン中のバルブと連結している、請求項１に記載のシステム。
【請求項５】
第１位置から離れた第３位置に第２サンプリング・デバイスを更に有して成り、
サンプル移送ラインが第２サンプリング・デバイスと連結するように構成され、それによって第２サンプリング・デバイスがサンプル移送ラインに第２液体サンプルを供給するためにサンプル移送ラインと流体連通するよう動作可能となっている、請求項１に記載のシステム。
【請求項６】
第１位置および第２位置から離れた第３位置にある第２サンプリング・システム、並びに
第２流体供給体と連結され、かつ第３位置から第１位置まで第２液体サンプルを移送するように構成された第２サンプル移送ライン
を更に有して成り、
第２サンプリング・システムが第２液体サンプルを第２サンプル移送ラインに送るために第２サンプル移送ラインと流体連通するよう動作可能となるように、第２サンプル移送ラインは第２サンプリング・システムと連結されており、および、
サンプル受容ラインが第２液体サンプルを受容し、かつ分析システムに第２液体サンプルを供給するために第２サンプル移送ラインと流体連通するよう動作可能となるように、サンプル受容ラインは第２サンプル移送ラインと連結されている、請求項１に記載のシステム。
【請求項７】
第１位置に第２サンプリング・デバイスを更に有して成り、
第２サンプリング・デバイスが分析システムに第２サンプルを供給するために分析システムと連結されている、請求項１に記載のシステム。
【請求項８】
第２サンプリング・システムがオートサンプラーを有して成る、請求項７に記載のシステム。
【請求項９】
システムが、サンプル・ループに運搬される連続的な液体サンプル・セグメントの量に対するサンプル移送ラインに供給されるサンプルの量の比が１．２５となる比で動作する、請求項１に記載のシステム。
【請求項１０】
分析システムがコントローラーを含む、請求項１に記載のシステム。
【請求項１１】
リモート・サンプリング・システムであって、
分析システムから離れた位置にあるリモート・サンプリング・デバイスを有して成り、
リモート・サンプリング・システムが、リモート・サンプリング・システムから分析システムまで液体サンプルを移送するように構成されているサンプル移送ラインに連結されており、
リモート・サンプリング・システムは、分析に先立って、液体サンプルを希釈すること、液体サンプルを予備濃縮すること、または、１つ以上の較正用標準を液体サンプルに加えることの少なくとも１つを行うようになっており、
リモート・サンプリング・システムがサンプル移送ラインに連続的な液体サンプル・セグメントを供給するためにサンプル移送ラインと流体連通するよう動作可能となるように、サンプル移送ラインはリモート・サンプリング・システムと連結されている、リモート・サンプリング・システム。
【請求項１２】
サンプル作製デバイスを更に含み、サンプル作製が、分析に先立って、液体サンプルを希釈すること、液体サンプルを予備濃縮すること、または、１つ以上の較正用標準を液体サンプルに加えることの少なくとも１つを行うようになっている、請求項１１に記載のリモート・サンプリング・システム。
【請求項１３】
サンプル作製デバイスがバルブを含む、請求項１２に記載のリモート・サンプリング・システム。
【請求項１４】
リモート分析システムであって、
第１位置にある分析システム；
第１位置にあるサンプル受容ライン
を有して成り、
分析システムが、サンプル・コレクターおよび分析デバイスを含み、
分析システムが、サンプル移送ラインに接続されており、
分析システムが、リモート・サンプリング・デバイスおよびサンプル作製デバイスを含むリモート・サンプリング・システムから連続的な液体サンプル・セグメントを受容するように構成されており、
リモート・サンプリング・システムが、第１位置から離れた第２位置に配置されており、
リモート・サンプリング・システムがサンプル作製デバイスを有して成り、サンプル作製デバイスが、分析に先立って、液体サンプルを希釈すること、液体サンプルを予備濃縮すること、または、１つ以上の較正用標準を液体サンプルに加えることの少なくとも１つを行うようになっており、
リモート・サンプリング・システムが、サンプル移送ラインに連結されており、
サンプル移送ラインが、流体供給体と連結され、かつ第２位置から第１位置まで液体サンプルを送るように構成されており、
リモート・サンプリング・システムがサンプル移送ラインに連続的な液体サンプル・セグメントを供給するためにサンプル移送ラインと流体連通するよう動作可能となるように、サンプル移送ラインはリモート・サンプリング・システムと連結されており、
サンプル受容ラインが液体サンプルを受容するためにサンプル移送ラインと流体連通し、かつ分析システムに液体サンプルの連続的な液体サンプルを供給するために分析システムと流体連通するよう動作可能となるように、サンプル受容ラインがサンプル移送ラインおよび分析システムと連結されている、リモート分析システム。
【請求項１５】
分析システムが、液体サンプルがサンプル受容ラインに進入したことを測定するように構成された第１検出器、および、サンプル受容ラインが連続的な液体サンプル・セグメントを含むことを測定するように構成された第２検出器を含む、請求項１４に記載のリモート分析システム。
【請求項１６】
連続的な液体サンプル・セグメントが分析デバイスによる分析のための十分な量の連続的な液体サンプル・セグメントを含む、請求項１５に記載のリモート分析システム。
【請求項１７】
サンプル受容ラインがサンプル・ループを有して成り、サンプル・ループはループ形状のラインであり、サンプル・ループの各端はサンプル受容ライン中のバルブと連結している、請求項１４に記載のリモート分析システム。
【請求項１８】
第１位置に第２サンプリング・デバイスを更に有して成り、
第２サンプリング・デバイスが分析システムに第２サンプルを供給するために分析システムと連結されている、請求項１４に記載のリモート分析システム。
【請求項１９】
第２サンプリング・システムがオートサンプラーを有して成る、請求項１８に記載のリモート分析システム。
【請求項２０】
システムは、サンプル・ループに運搬される連続的な液体サンプル・セグメントの量に対するサンプル移送ラインに供給されるサンプルの量の比が１．２５となる比で動作する、請求項１４に記載のリモート分析システム。
【手続補正２】
【補正対象書類名】明細書
【補正対象項目名】００２８
【補正方法】変更
【補正の内容】
【００２８】
主題は構造の特徴および/又は処理動作に特有の言語で説明されているが、特許請求の範囲に規定された主題は上記で説明した特定の特徴又は動作に必ずしも限定されるものではないことは理解されよう。むしろ、上記で説明した特定の特徴および動作はクレームの規定内容を実施するための例示形態として開示されている。
本願発明は以下の態様を含む。
（態様１）
システムであって、
第１位置にある分析システム；
第１位置から離れた第２位置にあるリモート・サンプリング・システム；
ガス供給体と連結され、第２位置から第１位置まで液体サンプルを移送するように構成されたサンプル移送ライン
を有して成り、
分析システムがサンプル受容ラインを含み、
リモート・サンプリング・システムが分析のための液体サンプルを受容するように構成されており、
リモート・サンプリング・システムが第１位置に液体サンプルを送るためのサンプル移送ラインと流体連通するよう動作可能となるように、サンプル移送ラインはリモート・サンプリング・システムと連結されており、
サンプル受容ラインはサンプル移送ラインおよび分析システムと選択的に連結するように構成され、それによってサンプル受容ラインが、液体サンプルを受容するためにサンプル移送ラインと流体連通し、および液体サンプルの連続的な液体サンプル・セグメントを分析システムに供給するために分析システムと流体連通するよう動作可能となっている、システム。
（態様２）
分析システムは、液体サンプルがサンプル受容ラインに進入したことを測定するように構成された第１検出器、およびサンプル受容ラインが連続的な液体サンプル・セグメントを含むことを測定するように構成された第２検出器を含む、態様１に記載のシステム。
（態様３）
連続的な液体サンプル・セグメントが分析デバイスによる分析のための十分な量の連続的な液体サンプル・セグメントを含む、態様１に記載のシステム。
（態様４）
サンプル受容ラインがサンプル・ループを有して成る、態様１に記載のシステム。
（態様５）
第１位置から離れた第３位置に第２サンプリング・デバイスを更に有して成り、
サンプル移送ラインが第２サンプリング・デバイスと連結するように構成され、それによって第２サンプリング・デバイスがサンプル移送ラインに第２液体サンプルを供給するためにサンプル移送ラインと流体連通するよう動作可能となっている、態様１に記載のシステム。
（態様６）
第１位置および第２位置から離れた第３位置にある第２サンプリング・システム、並びに
第２ガス供給体と連結され、かつ第３位置から第１位置まで第２液体サンプルを移送するように構成された第２サンプル移送ライン
を更に有して成り、
第２サンプリング・システムが第２液体サンプルを第２サンプル移送ラインに送るために第２サンプル移送ラインと流体連通するよう動作可能となるように、第２サンプル移送ラインは第２サンプリング・システムと連結されており、および、
サンプル受容ラインが第２液体サンプルを受容し、かつ分析システムに第２液体サンプルを供給するために第２サンプル移送ラインと流体連通するよう動作可能となるように、サンプル受容ラインは第２サンプル移送ラインと連結されている、態様１に記載のシステム。
（態様７）
第１位置に第２サンプリング・デバイスを更に有して成り、
第２サンプリング・デバイスが分析システムに第２サンプルを供給するために分析システムと連結されている、態様１に記載のシステム。
（態様８）
第２サンプリング・システムがオートサンプラーを有して成る、態様７に記載のシステム。
（態様９）
システムが、キャッチに対するピッチの比が１．２５となる比で動作する、態様１に記載のシステム。
（態様１０）
分析システムがコントローラーを含む、態様１に記載のシステム。
（態様１１）
リモート・サンプリング・システムであって、
分析システムから離れた位置にあるリモート・サンプリング・デバイスを有して成り、
リモート・サンプリング・システムが、リモート・サンプリング・システムから分析システムまで液体サンプルを移送するように構成されているサンプル移送ラインに連結されており、
リモート・サンプリング・システムがサンプル移送ラインに連続的な液体サンプル・セグメントを供給するためにサンプル移送ラインと流体連通するよう動作可能となるように、サンプル移送ラインはリモート・サンプリング・システムと連結されている、リモート・サンプリング・システム。
（態様１２）
サンプル作製デバイスを更に含む、態様１１に記載のリモート・サンプリング・システム。
（態様１３）
サンプル作製デバイスがバルブを含む、態様１２に記載のリモート・サンプリング・システム。
（態様１４）
リモート分析システムであって、
第１位置にある分析システム；
第１位置にあるサンプル受容ライン
を有して成り、
分析システムが、サンプル・コレクターおよび分析デバイスを含み、
分析システムが、サンプル移送ラインに接続されており、
分析システムが、リモート・サンプリング・デバイスおよびサンプル作製デバイスを含むリモート・サンプリング・システムから連続的な液体サンプル・セグメントを受容するように構成されており、
リモート・サンプリング・システムが、第１位置から離れた第２位置に配置されており、
リモート・サンプリング・システムが、サンプル移送ラインに連結されており、
サンプル移送ラインが、ガス供給体と連結され、かつ第２位置から第１位置まで液体サンプルを送るように構成されており、
リモート・サンプリング・システムがサンプル移送ラインに連続的な液体サンプル・セグメントを供給するためにサンプル移送ラインと流体連通するよう動作可能となるように、サンプル移送ラインはリモート・サンプリング・システムと連結されており、
サンプル受容ラインが液体サンプルを受容するためにサンプル移送ラインと流体連通し、かつ分析システムに液体サンプルの連続的な液体サンプルを供給するために分析システムと流体連通するよう動作可能となるように、サンプル受容ラインがサンプル移送ラインおよび分析システムと連結されている、リモート分析システム。
（態様１５）
分析システムが、液体サンプルがサンプル受容ラインに進入したことを測定するように構成された第１検出器、および、サンプル受容ラインが連続的な液体サンプル・セグメントを含むことを測定するように構成された第２検出器を含む、態様１４に記載のリモート分析システム。
（態様１６）
連続的な液体サンプル・セグメントが分析デバイスによる分析のための十分な量の連続的な液体サンプル・セグメントを含む、態様１５に記載のリモート分析システム。
（態様１７）
サンプル受容ラインがサンプル・ループを有して成る、態様１４に記載のリモート分析システム。
（態様１８）
第１位置に第２サンプリング・デバイスを更に有して成り、
第２サンプリング・デバイスが分析システムに第２サンプルを供給するために分析システムと連結されている、態様１４に記載のリモート分析システム。
（態様１９）
第２サンプリング・システムがオートサンプラーを有して成る、態様１８に記載のリモート分析システム。
（態様２０）
システムは、キャッチに対するピッチの比が１．２５となる比で動作する、態様１４に記載のリモート分析システム。
【外国語明細書】
2020112559000001.pdf